(57)【要約】【課題】介護の現場で、手間のかからないベッドの汚染対策手段を提供する。【解決手段】  介護用のシートであって、ベッドの汚れの防止を目的とし、１４５〜１５５ｃｍの長さで、５５〜６５ｃｍの幅の防水シートの中央部に、８０〜９０ｃｍの長さで、５０〜６０ｃｍの幅で、厚みが０．１〜１ｃｍの吸水体を配してなり、該吸水体は高分子吸収材とパルプの混合物を吸水紙で覆ってなるものである、介護用のシートを提供する。吸水体は、アクリル酸系ポリマーとパルプの混合物を含み、該アクリル酸系ポリマーとパルプの質量比は、１５：８５〜５０：５０であり、該混合物が吸水紙によって包まれ、縦、横１〜１０ｍｍの間隔で圧着されてなるものが好ましい。【選択図】図１
2018083032.tif 000002
【特許請求の範囲】
【請求項１】
介護用のシートであって、ベッドの汚れの防止を目的とし、１４５〜１５５ｃｍの長さで、５５〜６５ｃｍの幅の防水シートの中央部に、８０〜９０ｃｍの長さで、５０〜６０ｃｍの幅で、厚みが０．５〜１．５ｃｍの吸水体を配してなり、該吸水体は高分子吸収材とパルプの混合物を吸水紙で覆ってなるものである、介護用のシート。
【請求項２】
前記高分子吸収材はアクリル系ポリマーである、請求項１に記載の介護用のシート。
【請求項３】
前記アクリル系ポリマーは、アクリル酸重合体部分ナトリウム塩架橋物である請求項２に記載の介護用のシート。
【請求項４】
前記パルプは、綿状パルプである請求項１〜３の何れか１項に記載の介護用のシート。
【請求項５】
前記防水シートはポリエチレンシートである、請求項１〜４の何れか１項に記載の介護用のシート。
【請求項６】
ベッドの汚れを防止するための介護用のシートのための吸収体であって、アクリル酸系ポリマーとパルプの混合物を含み、該アクリル酸系ポリマーとパルプの質量比は、１５：８５〜５０：５０であり、該混合物が吸水紙によって包まれ、縦、横１〜１０ｍｍの間隔で圧着されてなる吸収体。
【請求項７】
８０〜９０ｃｍの長さで、５０〜６０ｃｍの幅で、厚みが０．１〜１ｃｍである、請求項６に記載の吸収体。
【発明の詳細な説明】
【技術分野】
【０００１】  本発明は、介護用の防水シートに関し、更に詳細には使い捨ての介護用の防水シートに関する。
【背景技術】
【０００２】  日本は高齢化社会を迎え、高齢者介護は重要な課題となっている。特に寝たきりの要介護者の介護は多大な労力を使わなければならないので、労働力不足の現代にあっては重大な問題であり、介護の負担で介護者が健康を損なう事例も少なくない。このような労力の中で特に重大なのは、排便と排尿の処理である。特に施設においては、ベッドの汚れにより院内感染などを引き起こすので重要な問題であると言える。排便、排尿の処理においては、これまではオムツなどに頼っていたが、オムツのみではベッドを汚すことも少なくなかった。【０００３】  このような汚染対策として防水シートの使用が提案されている（例えば、特許文献１を参照）が、このようなシートでは寝返りなどの患者の動作によりずれてしまうことがたびたびあり、十分な処置であるとは言いがたかった。加えて、水分を十分に吸収するように吸収体を厚くすると、使用者の背部との間に摩擦が生じ、床ずれを起こす可能性も高くなる欠点が存した。【０００４】  一方、オムツなどで吸収体に高分子吸収材、パルプ、吸水紙を組み合わせて用いることは既に知られていた（特許文献２を参照）が、これをベッドのぬれ防止の防水シートに加工することは為されていなかったし、このような構成が介護上有用な道具になるであろうことも認識されていなかった。【０００５】  即ち、介護の現場では手間のかからないベッドの汚染対策手段が求められていたと言える。
【先行技術文献】
【特許文献】
【０００６】
【特許文献１】特開２００１−２１１９８１号公報
【特許文献２】特開２０１１−０５０７７２号公報
【発明の概要】
【発明が解決しようとする課題】
【０００７】  本発明は、このような状況下為されたものであり、介護の現場で、手間のかからないベッドの汚染対策手段を提供することを課題とする。
【課題を解決するための手段】
【０００８】  このような状況に鑑みて、本発明者らは介護の現場で、手間のかからないベッドの汚染対策手段を求めて、鋭意研究努力を重ねた結果、ベッドの汚れの防止を目的とし、１４５〜１５５ｃｍの長さで、５５〜６５ｃｍの幅の防水シートの中央部に、８０〜９０ｃｍの長さで、５０〜６０ｃｍの幅で、厚みが０．５〜１．５ｃｍの吸水体を配してなり、該吸水体は高分子吸収材とパルプの混合物を吸水紙で覆ってなるものである、介護用のシートを利用することにより、介護の手間が省けることを見いだし、発明を完成させるに至った。即ち、本発明は以下の通りである。
＜１＞介護用のシートであって、ベッドの汚れの防止を目的とし、１４５〜１５５ｃｍの長さで、５５〜６５ｃｍの幅の防水シートの中央部に、８０〜９０ｃｍの長さで、５０〜６０ｃｍの幅で、厚みが０．１〜１ｃｍの吸水体を配してなり、該吸水体は高分子吸収材とパルプの混合物を吸水紙で覆ってなるものである、介護用のシート。
＜２＞前記高分子吸収材はアクリル系ポリマーである、＜１＞に記載の介護用のシート。
＜３＞前記アクリル系ポリマーは、アクリル酸重合体部分ナトリウム塩架橋物である、＜２＞に記載の介護用のシート。
＜４＞前記パルプは、綿状パルプである＜１＞〜＜３＞の何れか１項に記載の介護用のシート。
＜５＞前記防水シートはポリエチレンシートである、＜１＞〜＜４＞の何れか１項に記載の介護用のシート。
＜６＞ベッドの汚れを防止するための介護用のシートのための吸収体であって、アクリル酸系ポリマーとパルプの混合物を含み、該アクリル酸系ポリマーとパルプの質量比は、１５：８５〜５０：５０であり、該混合物が吸水紙によって包まれ、縦、横１〜１０ｍｍの間隔で圧着されてなる吸収体。
＜７＞８０〜９０ｃｍの長さで、５０〜６０ｃｍの幅で、厚みが０．１〜１ｃｍである、＜６＞に記載の吸収体。
【発明の効果】
【０００９】  本発明によれば、介護の現場で、手間のかからないベッドの汚染対策手段を提供できる。
【図面の簡単な説明】
【００１０】
【図１】  実施例１の介護シートの概要を示す図である。
【図２】  比較試験２の結果を示す図である。（図面代用写真）
【図３】  比較試験２の結果を示す図である。（図面代用写真）
【発明を実施するための形態】
【００１１】  本発明の介護用のシートは、介護用のシートであって、ベッドの汚れの防止を目的とし、１４５〜１５５ｃｍの長さで、５５〜６５ｃｍの幅の防水シートの中央部に、８０〜９０ｃｍの長さで、５０〜６０ｃｍの幅で、厚みが０．１〜１ｃｍの吸水体を配してなり、該吸水体は高分子吸収材とパルプの混合物を吸水紙で覆ってなるものであることを特徴とし、介護における屎尿によるベッド汚染を防ぎ、汚染によって起こる院内感染などを防止スル作用を有する。また、安価な可燃性の材料でできているため、汚染後、廃棄、焼却することにより、安全、且つ、介護の手間を軽減し、被介護者の居住空間を清浄且つ快適に保つことができる。
【００１２】  本発明の介護シートを構成する防水シートは、防水力があり、且つ、可変性があり、ベッドマットとベッドの間に両端を織り込んで固定すると、しっかりと滑ることなく固定される素材であることが必須であり、このような素材としては、例えば、ポリエチレンなどのポリオレフィンフィルが好ましく例示できる。ポリオレフィンフィルムは焼却しても有毒ガスを発生することがないので、その点でも有利である。ポリオレフィンフィルとしては、ポリエチレンフィルムを用いる場合、高密度ポリエチレンが好ましく、厚さは０．０１〜０．１ｍｍが、防水性の点と、固定性の面で好ましい。吸水体と接触している面は中央に配され、その両端は３０〜５０ｃｍの固定のための折り込みのための部分とすることが好ましい。
【００１３】  本発明の介護シートを構成する吸収体は、高分子吸収材とパルプの混合物を吸水紙で覆ってなるものであることを特徴とする。前記高分子吸収剤としては、例えば、アクリロニトリル系の「スーパースラーパー」やポリアクリル酸系の「アクアリック」「アクアキープ」等が好適に例示でき、アクリル配重合体部分ナトリウム塩架橋物である、「アクアキープ」が特に好ましい。これらの高分子吸収剤はただ一種を含有することもできるし、二種以上を組み合わせて含有することもできる。かかる高分子吸収剤は、圧力に対して、不可逆的に水分を吸収する作用を有する。かかる高分子吸収材と後記パルプとは一様に混合して用いることが好ましい。
【００１４】  前記、パルプとしては、綿状のパルプを用いることが好ましく、綿状の内部空間内に。均一に前記高分子吸収剤を配することが好ましい。このような形態に加工するには、綿状パルプと高分子吸収剤をスピードミルなどで、回転応力で綿状パルプの一部を壊砕しながら混ぜ込み、回転応力により再度綿状化させることが好ましい。綿状パルプと高分子吸収剤の混合比は質量で９０：１０〜５０：５０であることが好ましい。綿状パルプの質量比が大きくなりすぎると、吸収体の形状が厚くなりすぎ、安眠を妨げる場合が存し、高分子吸収剤の質量比が大きくなりすぎると、吸水後膨潤により、吸収体の構造を大きく変形させ、破断させる可能性が存する。このように加工した高分子吸収剤と綿状パルプの混合物を、吸水紙で包み、厚さが一様で、０．１〜１ｃｍになるように加工する。かかる吸水体を防水シートの中央部に貼付し、防水シートと吸収体の上部を厚さ０．０１〜０．１ｃｍの不織布で覆い、一体化する。一体化手段としては、例えば、１〜１０ｍｍ間隔で圧着する様な複数点状固定手段（以後、キルティング処理と称することもある。）が好ましく例示できる。このような圧着キルティング処理により、混合した高分子吸収体が輸送などで偏るのを防ぐことができる。かくして得られた、介護用シートはベッドの屎尿が流出しうる部分にしっかりと固定され、且つ、使用者の寝返りなどのベッドの行動によって位置のずれや、しわなどの緩みが起こりにくい。又、漏れた屎尿は速やかに吸収体前面に広がり、吸水紙→綿状パルプ→高分子吸収剤へと不可逆的に吸収される。このため、圧力などによって再放出することがないため、ベッドマットを汚染から守ることができる。
【００１５】  参考として、従来品との比較を記す。
１．９０ｃｍ×２００ｃｍの防水シートに７０ｃｍ×８０ｃｍの高分子吸収剤を芯にその周囲を綿状パルプで巻いた吸収体を貼付し、不織布で覆ったシートと比較すると、
▲１▼折り込みしろがこのシートでは大きすぎるため、操作性が悪く、且つ、縦幅が大きいため、使用者の動きを拾いやすく、使用者のからの動きでずれやしわが生じる。
▲２▼屎尿の漏れがあったところにしか吸収が起こらないため、吸水体の吸水能力が十分に発揮できず、体重などの加圧により、可逆的に屎尿を放出し、ベッドマットの汚染防御を果たせないことがある。
▲３▼また、市販品はキルティング加工が１．５ｍｍ四方の線状の圧着であるため、高分子吸収材の偏りを防ぐことが難しい。
２．９０ｃｍ×２００ｃｍの防水シートに７０ｃｍ×８０ｃｍの綿状パルプを芯に、高分子吸収剤でパルプの周囲を覆った吸収体を貼付し、不織布で覆ったシートと比較すると、
▲１▼操作性等は１と同様。
▲２▼吸水性高分子が屎尿の漏れに触れた途端に吸水、膨潤するため、吸収体の吸収量は吸収性高分子の量に依存し、屎尿が吸収体全体に広がらないため、吸収量も本来もっている能力を発揮することができない。
▲３▼また、市販品はキルティング加工が１．５ｍｍ四方の線状の圧着であるため、高分子吸収材の偏りを防ぐことが難しい。
【００１６】  以下に実施例を示して、本発明について更に詳細に説明を加える。
【実施例１】
【００１７】  綿状パルプ８０質量部と、高分子吸収剤（「アクアキープ」）２０質量部とをスピードミルに仕込み、粉砕、攪拌を行い、綿状パルプに均一に高分子吸収剤が分散した吸収複合体を作成した。この吸収複合体を、  厚さ０．０２ｃｍ、８０ｃｍ×１２１ｃｍの吸水紙で巻いて覆い、５０ｃｍ×６０ｃｍ（厚さ０．５ｃｍ）の吸水体を作成した。これを、厚さ０．０２ｃｍ、６０ｃｍ×１５０ｃｍの高密度ポリエチレンフィルムの中央部に貼付し、  ６０ｃｍ×１５０ｃｍの不織布で覆い、吸収体部分を縦、横０．５ｍｍの間隔で、点状に圧着し、本発明の介護シートを得た。
【実施例２】
【００１８】  実施例１と同様に、ポリエチレンフィルムを６５ｃｍ×１５５ｃｍに変え、同様に介護シートを作成した。
【実施例３】
【００１９】  実施例１と同様に、ポリエチレンフィルムを５５ｃｍ×１４５ｃｍに変え、同様に介護シートを作成した。【００２０】＜比較例１＞
実施例１と同様に、ポリエチレンフィルムを４０ｃｍ×１４０ｃｍに変え、同様に比較例１の介護シートを作成した。【００２１】＜比較例２＞
実施例１と同様に、ポリエチレンフィルムを７０ｃｍ×１６０ｃｍに変え、同様に比較例２の介護シートを作成した。【００２２】＜比較試験１＞
実施例１〜３の介護シートと、比較例１、２の介護シートを３人の介護士に使用してもらい。操作性（セットのしやすさ）と使用者が寝て１０時間後のシートの状態を評価してもらい、順位付けを行ってもらった。結果は以下に示すとおりであり、本発明の介護シートの使用性と設置安定性の良さが証明された。
介護士１の評価  操作性：実施例１＞実施例２＞実施例３＞比較例１＞比較例２
安定性：実施例１＝実施例３＞実施例２＞比較例２＞比較例１
介護士２の評価  操作性：実施例１＝実施例２＝実施例３＞比較例１＞比較例２
安定性：実施例１＝実施例３＝実施例２＝比較例２＞比較例１
介護士３の評価  操作性：実施例１＝実施例２＞実施例３＞比較例１＞比較例２
安定性：実施例１＝実施例２＞実施例３＝比較例２＞比較例１【００２３】＜比較試験２＞
実施例１のシートと、市販のシート（シートの大きさ８０ｃｍ×１８０ｃｍ、吸収体の大きさ７０ｃｍ×８０ｃｍで厚さ０．５ｃｍ、高分子吸収体を綿状パルプで包み、更に吸水紙で包んだ構造が図で示されており、１．５ｃｍ角の線状キルティング処理が為されている）とを用いて吸水実験を行った。即ち、シートを広げ、吸水体に２５０ｍｌの水を注ぎ、３０秒後にティッシュペーパーをかぶせて、加重師ティッシュの濡れ具合を見た。図２にシートの状態を、図３にティッシュの状態を示す。本発明のシートは吸収した水を放出しないが、市販品は再放出していることがわかる。
【産業上の利用可能性】
【００２４】  本発明は、ベッドを汚染から守る介護用品に適用できる。
【図１】
2018083032.tif 000003
【図２】
2018083032.tif 000004
【図３】
2018083032.tif 000005